Podtech/llm-jp-corpus-v4-ja_patent huggingface dataset:
【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
脳卒中後神経変性を治療するための医薬組成物であって、
ネフィラセタムまたはその塩
を含み、
該治療は、該脳卒中の６ヶ月後よりも後かつ１２ヶ月以内に開始されることを特徴とする、
組成物。
【請求項２】
請求項１に記載の医薬組成物であって、前記脳卒中後神経変性の治療は、総括的改善のためである、組成物。
【請求項３】
請求項１に記載の医薬組成物であって、前記脳卒中後神経変性の治療は、精神症状、自発性減少、情緒障害、知的機能障害、または日常生活活動を改善するためである、組成物。
【請求項４】
請求項１に記載の医薬組成物であって、前記神経変性の治療は、脳卒中後患者の回復のため、または脳卒中後患者の回復を少なくとも改善するためである、組成物。
【請求項５】
経口単位用量形態である、請求項１に記載の組成物。
【請求項６】
前記ネフィラセタムが５０ｍｇ〜１２００ｍｇである、請求項１に記載の組成物。
【請求項７】
前記ネフィラセタムが１００ｍｇ〜６００ｍｇである、請求項６に記載の組成物。
【手続補正書】
【提出日】平成20年6月27日(2008.6.27)
【手続補正１】
【補正対象書類名】明細書
【補正対象項目名】特許請求の範囲
【補正方法】変更
【補正の内容】
【特許請求の範囲】
【請求項１】  ヘッドバンドと、
赤外線光信号を受信し、前記赤外線光信号を電気信号に変換し、前記電気信号を出力に供給するように構成されたヘッドセット赤外線光検出器を含むエレクトロニクスハウジングであって前記ヘッドセット赤外線光検出器は前記エレクトロニクスハウジングの検出器部分に配置されているものと、
前記ヘッドセット赤外線光検出器により供給された前記電気信号を処理するために前記ヘッドセット赤外線光検出器の出力に結合された入力を有するヘッドセット信号処理装置と、
前記ヘッドセット信号処理装置に動作可能となるように接続された送信機と、
前記ヘッドセット信号処理装置に動作可能となるように接続された受信機と、
を備えたプログラマブルヘッドセット。
【請求項２】  前記ヘッドセットの前記検出器部分を受け入れるためのクレードルと、
出力を有するプログラミングユニット信号処理装置と、
前記検出器部分が前記クレードル内に配置された場合に前記ヘッドセット赤外線光検出器との赤外線光通信を行うように配置され、前記プログラミングユニット信号処理デバイスの出力に動作可能となるように接続された、プログラミングユニット赤外線光放射器と、
を含むプログラミングユニットをさらに備えた、請求項１に記載のヘッドセット。
【請求項３】  前記ヘッドセット信号処理ユニットの出力に動作可能となるように接続されたヘッドセット赤外線光放射器をさらに備え、
前記プログラミングユニットは、赤外線光信号を受信し、前記受信した赤外線光信号を電気信号に変換し、前記電気信号を前記プログラミングユニット信号処理装置の入力に供給するように構成されたプログラミングユニット赤外線光検出器をさらに備えた、請求項２に記載のヘッドセット。
【請求項４】  ヘッドセットをプログラミングするための装置であって、
ヘッドバンドと、
入力を有するヘッドセット信号処理装置と、
赤外線光信号を受信し、前記赤外線光信号を電気信号に変換し、前記電気信号を前記ヘッドセット信号処理装置の入力に結合された出力に供給するように構成され、前記ヘッドセットの検出器部分に配置された、ヘッドセット赤外線光検出器と、
前記ヘッドセット信号処理装置に動作可能となるように接続されたスピーカと、
を備えたヘッドセットと、
前記ヘッドセットの前記検出器部分を受け入れるためのクレードルと、
前記ヘッドセットの前記検出器部分が前記クレードル内に配置された場合に前記ヘッドセット赤外線光検出器との通信を行うためのプログラミングユニット赤外線光放射器と、
前記プログラミングユニット赤外線光放射器に動作可能となるように接続されたプログラミングユニット信号処理デバイスと、
を備えたプログラミングユニットを含む、ヘッドセットをプログラミングするための装置。
【請求項５】  前記プログラミングユニットに接続されたベースユニットをさらに備え、前記ベースユニットは制御パネルを備えた、請求項４に記載の装置。
【請求項６】  前記ヘッドセットは、前記ヘッドセット信号処理装置、前記ヘッドセット赤外線光検出器、およびスピーカを含むエレクトロニクスハウジングをさらに備え、前記ヘッドセットの前記検出器部分が前記エレクトロニクスハウジングの一部となっている、請求項４に記載の装置。
【請求項７】  プログラミングステーション赤外線光放射器から信号を受信するためのヘッドセット赤外線光検出器を備えたヘッドセットの検出器部分を、プログラミングステーションのクレードル内に位置付ける工程と、
前記ヘッドセットの動作設定に関する情報を含む赤外線光信号を、前記プログラミングステーション赤外線光放射器から前記ヘッドセット赤外線検出器に送信する工程と、
前記信号に応答して前記ヘッドセットの動作設定を確立する工程と、
を含む、ヘッドセットをプログラミングするための方法。
【手続補正書】
【提出日】平成20年7月4日(2008.7.4)
【手続補正１】
【補正対象書類名】明細書
【補正対象項目名】００１９
【補正方法】変更
【補正の内容】
【００１９】
図１を参照すると、この発明の好ましい実施例に従うシステム１０が示され、これは、１つ以上の別個の受信可能領域１４ａおよび１４ｂにある複数の移動プラットホーム１２ａ〜１２ｆとデータコンテンツをやり取りするためのものである。システム１０は一般に、地上部１６と、宇宙部１７を形成する複数の衛星１８ａ〜１８ｆと、各移動プラットホーム１２上に配置された移動システム２０とを含む。移動プラットホームは航空機、遊覧大型客船、またはその他移動するどのような乗物も含むことができる。したがって、ここに移動プラットホーム１２を図面で航空機として例示し、以下の説明全体にわたり移動プラットホームを航空機として参照していることは、システム１０の適用可能性を航空機のみに限定するものと解釈されるべきではない。
【手続補正２】
【補正対象書類名】明細書
【補正対象項目名】００２４
【補正方法】変更
【補正の内容】
【００２４】
次に図２を参照して、各航空機１２に配置された移動システム２０を以下に詳細に説明する。各移動システム２０は、ルータ／サーバ５０（以下「サーバ」）の形のデータコンテンツ管理システムを含み、これは通信サブシステム５２、制御ユニットおよび表示システム５４、ならびにローカルエリアネットワーク（ＬＡＮ）５６の形の配信システムと通信する。任意には、サーバ５０はさらに、米国航空機電話システム（ＮＡＴＳ）５８、乗務員情報サービスシステム６０、および／または機内娯楽システム（ＩＦＥ）６２と接続して作動するように構成され得る。
【手続補正３】
【補正対象書類名】明細書
【補正対象項目名】００３１
【補正方法】変更
【補正の内容】
【００３１】
受信アンテナ８２および送信アンテナ７４の各々は、その関連付けられた航空機１２の胴体の上部に配置されることが好ましい。各航空機の受信アンテナ７４は、符号化された
ＲＦ信号のＲＦ伝送全体を受信し、これは中継器１８ａ1〜１８ａ4の中の少なくとも１つからのＩＰデータコンテンツパケットを表わす。受信アンテナ８２は水平偏波（ＨＰ）信号および垂直偏波（ＶＰ）信号を受信し、これらは受信機６６の中の少なくとも１つに入力される。２つ以上の受信機６６が組込まれていれば、一受信機は、これが向けられている目標衛星１８で運ばれる特定の中継器１８ａ1〜１８ａ4と共に用いられるように指定される。受信機６６は符号化されたＲＦ信号を復号し、復調し、周波数を低くして変換することにより、映像信号および音声信号、ならびにデータ信号を生成し、これらはサーバ５０に入力される。サーバは、航空機１８上のユーザに対して意図されていないあらゆるデータコンテンツをフィルタ処理して破棄し、残ったデータコンテンツをＬＡＮ５６経由で適当なアクセス局８８に送る。この態様で各ユーザは、番組またはその他の情報のうち、自分が要求していた部分のみを受信する。こうして各ユーザは、航空機１２ａ上にいる他のユーザすべてから独立して、所望の番組チャネルを要求して受信、ｅメールにアクセス、インターネットにアクセス、およびその他のデータ転送作業を実行することが自由にできる。
【手続補正４】
【補正対象書類名】明細書
【補正対象項目名】００４３
【補正方法】変更
【補正の内容】
【００４３】
さらに、目標衛星１８に隣接する衛星への干渉を防ぐ規制上の要件を、送信アンテナ７４もまた満たすことが等しく重要である。ほとんどの移動用途で用いられる送信アンテナもまた、従来のＶＳＡＴアンテナ（一般的に直径１メートルの反射アンテナ）よりも小さくなる傾向にある。航空用途に用いられる移動送信アンテナは、空気抵抗が低く、軽量で電力消費が少なく、さらに比較的小さなサイズである必要がある。これらすべての理由から、送信アンテナ７４のアンテナ開口は従来のＶＳＡＴアンテナよりも小さいことが好ましい。ＶＳＡＴアンテナのサイズは、静止軌道の円弧上にある単一のＦＳＳ衛星を照らすのに十分狭いアンテナビームをもたらすようにされる。これは重要なことであるが、それは、ＦＳＳ衛星が静止軌道の円弧に沿って２°の間隔で隔てられるからである。この発明で用いられる送信アンテナ７４のアンテナ開口はこのように通常よりも小さいので、場合によっては静止軌道の円弧に沿って目標衛星に隣接する衛星を照射するために十分広いアンテナビームがもたらされ、干渉の問題を生じさせるおそれがある。この潜在的な問題は、リターンリンク伝送にもスペクトル拡散変調技術を用いることによってなくされる。送信アンテナ７４から送信された信号を周波数において拡散させることによって、隣接する衛星において生じる干渉信号は、信号が干渉するであろうしきい値ＥＩＲＰスペクトル密度を下回る。しかしながら、干渉が問題とならないような角度で所与の受信可能領域内の衛星が間隔付けられれば、スペクトル拡散変調技術は必要ではないことが理解されるであろう。
【誤訳訂正書】
【提出日】平成20年9月8日(2008.9.8)
【誤訳訂正１】
【訂正対象書類名】特許請求の範囲
【訂正対象項目名】全文
【訂正方法】変更
【訂正の内容】
【特許請求の範囲】
【請求項１】
アイメリア・マキシマ（Eimeria maxima）の配偶子母細胞に存在する配列番号３に記載のアミノ酸配列を有する５６ｋＤａポリペプチドをコードするヌクレオチド配列を含む単離された核酸、又は該核酸の完全な相補物。
【請求項２】
前記核酸がＤＮＡ分子である、請求項１の単離された核酸。
【請求項３】
前記ＤＮＡ分子がｃＤＮＡ分子である、請求項２の単離された核酸。
【請求項４】
作用可能に連結されたプロモーターを更に含む、請求項１の核酸。
【請求項５】
アイメリア・マキシマ（Eimeria maxima）の配偶子母細胞に存在する配列番号３に記載のアミノ酸配列を有する５６ｋＤａポリペプチドをコードする単離されたヌクレオチド配列、又は該核酸の完全な相補物を含む単離されたベクター。
【請求項６】
前記ベクターがプラスミドである、請求項５のベクター。
【請求項７】
請求項１〜４の何れか１項の核酸を含むプラスミド。
【請求項８】
前記単離された核酸が、豪州政府分析研究所受託番号ＮＭ０１／２２４００で寄託され、５６ＴＲＣＨｉｓｂ１プラスミドと命名されたプラスミドである、請求項１の単離された核酸。
【請求項９】
アイメリア・マキシマ（Eimeria maxima）の配偶子母細胞に存在する配列番号３に記載のアミノ酸配列を有する５６ｋＤａポリペプチドをコードする単離されたヌクレオチド配列、又は該核酸の完全な相補物を含む単離されたベクターを含む単離された宿主細胞。
【請求項１０】
前記細胞が、細菌細胞、植物細胞、昆虫細胞、又は哺乳類細胞である、請求項９の宿主細胞。
【請求項１１】
アイメリア・マキシマ（Eimeria maxima）の配偶子母細胞に存在する配列番号３に記載のアミノ酸配列を有する５６ｋＤａポリペプチドをコードする単離されたヌクレオチド配列、又は該核酸の完全な相補物を含む単離された形質転換細胞。
【請求項１２】
豪州政府分析研究所受託番号ＮＭ０１／２２４０１で寄託され、クローン５６ＴＲＣＨｉｓｂ１細菌と命名された、請求項１１の形質転換細胞。
【請求項１３】
アイメリア・マキシマ（Eimeria maxima）の配偶子母細胞の５６ｋＤａポリペプチド又は該ポリペプチドの相同体をさらに含む、請求項１１または１２の形質転換細胞。
【請求項１４】
アイメリア・マキシマ（Eimeria maxima）の配偶子母細胞に存在する５６ｋＤａポリペプチドを作製する方法であって、配列番号３に記載のアミノ酸配列を有する５６ｋＤａポリペプチドをコードする単離されたヌクレオチド配列を含む単離された宿主細胞を培養することと、このように培養された細胞由来の５６ｋＤａポリペプチドを単離することと、を備えた方法。
【請求項１５】
請求項１４の方法によって作製された組換えポリペプチド。
【請求項１６】
アイメリア・テネラ（Eimeria tenella）、アイメリア・マキシマ（Eimeria maxima）、アイメリア・アセルブリナ（Eimeria acervulina）、アイメリア・ネカトリックス（Eimeria necatrix）、アイメリア・プレコックス（Eimeria praecox）、アイメリア・ミチス（Eimeria mitis）、若しくはアイメリア・ブルネッティ（Eimeria brunetti）、又は免疫学的に交叉反応する抗原を発現している微生物に対するワクチンであって、請求項１〜４の何れか１項の核酸、又は請求項５または６のベクター、又は請求項７のプラスミド、又は請求項１５の組換えポリペプチドを含むワクチン。
【請求項１７】
アイメリア・マキシマ（Eimeria maxima）の配偶子母細胞に存在する配列番号３に記載のアミノ酸配列を有する５６ｋＤａポリペプチドをコードする単離された核酸配列、又は該核酸の完全な相補物を含む、アイメリア・マキシマによる感染に対して被検体を免疫化するためのワクチン。
【請求項１８】
請求項１６または１７のワクチンを被検体に投与することを含む、アイメリア・マキシマによる感染に対して被検体を免疫化する方法。
【請求項１９】
前記核酸のヌクレオチド配列が、配列番号１に記載される、請求項１の単離された核酸、又は請求項５または６の単離されたベクター、又は請求項９〜１１の何れか１項の宿主細胞、または請求項１６のワクチン。
【請求項２０】
前記被検体が鳥類種である、請求項１６または１７のワクチン。
【請求項２１】
鳥類種がニワトリである、請求項１６〜１８の何れか１項のワクチン。
【請求項２２】
前記ワクチンが、静脈内、筋肉内、または腹腔内注射により；または被検体の鼻孔に前記ワクチンを噴霧することにより投与されるようにデザインされている、請求項１６〜１８、２０〜２１の何れか１項のワクチン。
【請求項２３】
前記ワクチンが、卵内に（in ovo）投与されるようにデザインされている、請求項１６〜１８、２０〜２２の何れか１項のワクチン。
【請求項２４】
前記ワクチンが、卵の気嚢に投与されるようにデザインされている、請求項１６〜１８、２０〜２３の何れか１項のワクチン。
【誤訳訂正２】
【訂正対象書類名】明細書
【訂正対象項目名】００９２
【訂正方法】変更
【訂正の内容】
【００９２】
別の実施態様では、前記投与は卵内に（in ovo）行われる。
【誤訳訂正３】
【訂正対象書類名】明細書
【訂正対象項目名】０１５５
【訂正方法】変更
【訂正の内容】
【０１５５】
別の実施態様では、前記投与は卵内に（in ovo）行われる。
【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
単一検査吟味（１１０）とデュアル検査吟味（１１２）の少なくとも一方を実行することを選択するように促すステップと、
対象のスキャンを実行して収集されたスキャン・データを用いて作成した画像に対する単一検査吟味（１１０）とデュアル検査吟味（１１２）の少なくとも一方を実行するステップと、
関心対象の少なくとも１つのスライスにブックマーク付けするステップと、
前記検査吟味の実行において特定された関心領域を解析するステップ（１１４）と、
前記スキャン・データをワークステーション（５４）に送信するステップ（１０６）と、該ワークステーション内に患者履歴データを入力するステップ（１０８）と、
前記画像が複数の観察ポートを用いて観察され、
関心領域を解析する前記ステップ（１１４）が、シャッタツールを利用して前記ブックマーク付けした関心対象スライスの上下で追加のアキシャル・スライスを観察するステップを含み、前記ブックマーク付けした関心対象スライス及び前記追加のアキシャル・スライスが前記関心領域を取り囲む、吟味／解析方法。
【請求項２】
前記患者スキャン（１０４）がコンピュータ断層スキャンを含む、請求項１に記載の方法。
【請求項３】
前記単一検査吟味（１１０）が１回の検査で収集したデータを用いて作成した画像を吟味することを含む、請求項１に記載の方法。
【請求項４】
前記デュアル検査吟味（１１２）が、第１の検査で収集したデータを用いて作成した少なくとも１枚の画像及び第２の検査で収集したデータを用いて作成した少なくとも１枚の画像の複数の画像を吟味することを含む、請求項１に記載の方法。
【請求項５】
関心領域を解析する前記ステップ（１１４）が、
シャッタツールを利用して関心領域を取り囲むステップ、
画像照合を実行するステップ、
関心領域の特徴を評価するステップ、
のうちの少なくとも１つを含む、請求項１に記載の方法。
【請求項６】
前記関心領域が結節であり、かつ関心領域の特徴を評価する前記ステップが、結節のサイズ、スペキュレーション、平滑性及び範囲のうちの少なくとも１つを特徴付けすることを含む、請求項５に記載のプロトコル。
【請求項７】
単一検査吟味（１１０）とデュアル検査吟味（１１２）の少なくとも一方を実行することを選択するように促す手段と、
対象のスキャンを実行して収集されたスキャン・データを用いて作成した画像に対する単一検査吟味（１１０）とデュアル検査吟味（１１２）の少なくとも一方を実行する手段と、
関心対象の少なくとも１つのスライスにブックマーク付けする手段と、
前記検査吟味の実行において特定された関心領域を解析する手段と、
患者履歴データを入力する手段とを備え、
前記画像が複数の観察ポートを用いて観察され、
関心領域の解析が、シャッタツールを利用して前記ブックマーク付けした関心対象スライスの上下で追加のアキシャル・スライスを観察することを含み、前記ブックマーク付けした関心対象スライス及び前記追加のアキシャル・スライスが前記関心領域を取り囲む、ワークステーション（５４）。
【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
急峻な立ち上がりと急峻な立下りとを有する出力波形からなる出力を発生するＲＦ発生装置と使用され、標的組織を治療するための電気外科システムであって、
絶縁材から形成されるハウジングの遠端部に設けられ、ガスが充填される密封タンクと、
前記密封タンク内に配設され、前記ハウジング内を貫通して延出する導線を介して前記ＲＦ発生装置に接続される内部電極と、
前記遠端部に備えられ、標的組織に接触する切除用電極と、
前記ガスがプラズマ化する閾値電圧に達した時に、前記内部電極と前記切除用電極とを導通させて前記切除用電極に通電する電圧閾値スイッチと、
を備える電気外科システム。
【請求項２】
前記電圧閾値スイッチが、前記出力の周期に応じて制御される請求項１に記載の電気外科システム。
【請求項３】
前記絶縁材が、セラミック、ガラス、ＰＦＴＥ、ポリイミドのうちの少なくとも一つを含む材料からなる請求項１に記載の電気外科システム。
【請求項４】
前記ハウジング内に前記内部電極に沿って設けられ、当該内部電極と前記切除用電極との間に少なくとも１種類のガスを導入する導入路を有する請求項１に記載の電気外科システム。
【請求項５】
前記電圧閾値スイッチは、前記内部電極と、前記切除用電極と、前記内部電極と前記切除用電極との間に形成されるガスリザーバと、からなるスパーク・ギャップスイッチである請求項１に記載の電気外科システム。
【請求項６】
前記ガスリザーバ内のイオン化ガス分子の排出に応じて、前記切除用電極への通電が停止される請求項５に記載の電気外科システム。
【請求項７】
前記ＲＦ発生装置の出力に基づいて、前記ガスリザーバ内の電界が周期的に変化させられる請求項５に記載の電気外科システム。
【請求項８】
前記出力の立下り時に、前記電圧閾値スイッチに流れる電流を決定する電流導通手段を有する請求項１に記載の電気外科システム。
【請求項９】
前記電流導通手段は、前記中間電極と前記切除用電極との間に設けられ、前記ガスリザーバ内の電界を正弦周期で周期的に変化させる請求項８に記載の電気外科システム。
【請求項１０】
前記電流導通手段は、前記ガスリザーバ内のイオン化ガス分子が連続して排出すると共に、前記ガスリザーバに接続されたガス源から前記ガスを供給する請求項９に記載の電気外科システム。
【手続補正書】
【提出日】平成20年8月13日(2008.8.13)
【手続補正１】
【補正対象書類名】特許請求の範囲
【補正対象項目名】全文
【補正方法】変更
【補正の内容】
【特許請求の範囲】
【請求項１】
歯間、歯肉縁下部および歯肉縁区域から、バイオフィルム、歯石および着色薄膜を物理的に除去するのに適する、Ｓｏｆｔ  Ａｂｒａｓｉｖｅ（商標）耐久性被膜で被覆され、唾液可溶性被膜で保護被覆されたモノフィラメントデンタルテープ。
【請求項２】
前記Ｓｏｆｔ  Ａｂｒａｓｉｖｅ（商標）耐久性被膜が、ポリビニルアルコール系、エポキシ系、溶剤系、放射線硬化、メタクリレート系、ポリウレタン系、天然および他の合成系接着剤ならびにこれらの組合せからなる群から選択される耐久性接着剤を含む請求項１に記載のモノフィラメントデンタルテープ。
【請求項３】
前記Ｓｏｆｔ  Ａｂｒａｓｉｖｅ（商標）耐久性被膜が、リン酸トリクレジル、リン酸二カルシウム、軽石、ケイ酸アルミニウム、シリカ、ガラスビーズ、酸化チタン、米粉、石英、ノバキュライト、炭化ケイ素、アルミナジルコニア、アルミナ、研磨アルミナ、焼成酸化アルミニウム、酸化カルシウム、ケイ素およびジルコニウムの酸化物ならびにこれらの組合せからなる群から選択される研磨剤を含む請求項１に記載のモノフィラメントデンタルテープ。
【請求項４】
歯間、歯肉縁下部および歯肉縁区域から、バイオフィルム、歯石および着色薄膜を物理的に除去するのに適する、Ｓｏｆｔ  Ａｂｒａｓｉｖｅ（商標）耐久性被膜で被覆され、唾液可溶性被膜で保護被覆されたモノフィラメントデンタルテープを用いて、定期的にフロッシングすることを含む、歯石、バイオフィルムおよび着色薄膜を除去する方法。
【請求項５】
（ｅ）モノフィラメントテープの重量の約１％と約３０％の間の耐久接着剤で前記テープを予備被覆すること、
（ｆ）前記モノフィラメントテープの重量の約０．２５％と約２０％の間の研磨剤を付加すること、
（ｇ）前記接着剤／研磨剤被膜を硬化させること、および
（ｈ）約３０ｍｇ／ｙｄと約７０ｍｇ／ｙｄの間の唾液可溶性被膜により前記の処理テープを被覆すること
を含む、Ｓｏｆｔ  Ａｂｒａｓｉｖｅ（商標）耐久性被膜で被覆され、唾液可溶性被膜で保護被覆されたモノフィラメントデンタルテープの製造方法。
【誤訳訂正書】
【提出日】平成20年7月7日(2008.7.7)
【誤訳訂正１】
【訂正対象書類名】明細書
【訂正対象項目名】０００１
【訂正方法】変更
【訂正の内容】
【０００１】
本発明は、多糖と供に、主成分として（−）−エピガロカテキンガレート（（epigallocatechin）以下、ＥＧＣＧ）を含有する粉体及び／又は顆粒の形成における組成物に関するものである。
【誤訳訂正書】
【提出日】平成19年11月8日(2007.11.8)
【誤訳訂正１】
【訂正対象書類名】明細書
【訂正対象項目名】特許請求の範囲
【訂正方法】変更
【訂正の内容】
【特許請求の範囲】
【請求項１】  オリーブ全体またはそれの一部の摩砕残留物から、オイルミル圧搾物で生成したオイルケーキ状物、三段階圧搾物からのくずまたは“二段階”システムとして知られる方法でオリーブから油を抽出して得られるオイルフットくずから３−β−ヒドロキシ−２８−カルボキシオレアネン酸、２−α, ３−β−ジヒドロキシ−２８−カルボキシオレアネン酸および付随する不純物を回収する方法において、これらの両方の酸を１５％より少ない水含有量に予め乾燥した上記残留物、オイルケーキ状物またはくずの工業用物質から、液化ガスを含めた溶剤での上記酸の選択的な抽出および副生成物の除去によって８０％を超える純度で別々に分離することを特徴とする、上記方法。
【請求項２】  主成分の３−β−ヒドロキシ−２８−カルボキシオレアネン酸および２−α, ３−β−ジヒドロキシ−２８−カルボキシオレアネン酸および付随する不純物を回収する請求項１に記載の方法において、水または他の溶剤またはそれらの混合物で希釈され、濾過されおよび／またはデカンテーションされおよび／または遠心分離されまたはこれらの操作の組合せで処理され、これら固液分離段階から場合によっては得られる全ての相の一部のまたは全部の乾燥物である摩砕残留物そのものを、他の溶剤で前もって抽出処理してまたはせずに抽出処理、好ましくはヘキサン、他の非極性溶剤またはそれらの混合物、または３−β−ヒドロキシ−２８−カルボキシオレアネン酸および２−α, ３−β−ジヒドロキシ−２８−カルボキシオレアネン酸溶剤での還流抽出処理に付すことを特徴とする、上記方法。
【請求項３】  主成分の３−β−ヒドロキシ−２８−カルボキシオレアネン酸および２−α, ３−β−ジヒドロキシ−２８−カルボキシオレアネン酸および付随する不純物を回収する請求項１または２に記載の方法において、請求項１または２に記載の抽出段階で得られた部分的に希釈されていてもよい濃縮抽出物から沈殿した、主成分の３−β−ヒドロキシ−２８−カルボキシオレアネン酸および２−α, ３−β−ジヒドロキシ−２８−カルボキシオレアネン酸を、デンカンテーションおよび／または濾過および／または遠心分離によってできるだけ十分に分離し、これらの油酸および付随物質をヘキサン、他の極性溶剤またはそれらの混合物で熱間−または冷間洗浄し、得られる生成物を場合によっては漂白することを特徴とする上記方法。
【請求項４】  請求項１に記載の物質から３−β−ヒドロキシ−２８−カルボキシオレアネン酸および主成分の２−α, ３−β−ジヒドロキシ−２８−カルボキシオレアネン酸および付随する不純物を回収する方法において、請求項２に記載の方法からの残留物を新たに好ましくは醋酸エチル、他の極性溶剤またはそれらの混合物で、“超臨界”条件のもとでの液化ガスでの抽出を含め、好ましくは加熱下に新たに抽出することを特徴とする、上記方法。
【請求項５】  ３−β−ヒドロキシ−２８−カルボキシオレアネン酸および主成分の２−α, ３−β−ジヒドロキシ−２８−カルボキシオレアネン酸および付随する不純物を回収する請求項１〜４のいずれか一つに記載の方法において、請求項４で得られる好ましくは乾燥した抽出物をメタノール、他の溶剤またはそれらの混合物でまたは液化ガスで、３−β−ヒドロキシ−２８−カルボキシオレアネン酸および２−α, ３−β−ジヒドロキシ−２８−カルボキシオレアネン酸を含めたこれに付随する抽出成分を有利に溶解できる臨界条件下に処理する、上記方法。
【請求項６】  ３−β−ヒドロキシ−２８−カルボキシオレアネン酸および主成分の２−α, ３−β−ジヒドロキシ−２８−カルボキシオレアネン酸および付随する不純物を回収する請求項１〜５のいずれか一つに記載の方法において、請求項５で得られそして実質的に主成分の３−β−ヒドロキシ−２８−カルボキシオレアネン酸および２−α, ３−β−ジヒドロキシ−２８−カルボキシオレアネン酸より成る不溶部分を好ましくはヘキサン、上記酸に付随する脂肪物質を溶解することのできる他の溶剤またはそれらの混合物で処理する、上記方法。
【請求項７】  ３−β−ヒドロキシ−２８−カルボキシオレアネン酸および２−α, ３−β−ジヒドロキシ−２８−カルボキシオレアネン酸および付随する不純物を回収する請求項１〜６のいずれか一つに記載の方法において、請求項５で得られる溶液の濃縮物を、異なるｐＨ値で水で予備洗浄してまたはせずに、ソーダまたは他の塩基で塩基性にした水で熱間−または冷間処理し、遠心分離および／または濾過によってまたはそれらの組合せで溶液から分離することができる主成分の２−α, ３−β−ジヒドロキシ−２８−カルボキシオレアネン酸塩および３−β−ヒドロキシ−２８−カルボキシオレアネン酸塩の固体残留物を得、この生成物を場合によっては漂白処理に付すことを特徴とする上記方法。
【請求項８】  主成分の２−α, ３−β−ジヒドロキシ−２８−カルボキシオレアネン酸および３−β−ヒドロキシ−２８−カルボキシオレアネン酸および付随する不純物を回収する請求項１〜７のいずれか一つに記載の方法において、３−β−ヒドロキシ−２８−カルボキシオレアネン酸および２−α, ３−β−ジヒドロキシ−２８−カルボキシオレアネン酸塩を酸性媒体および／または酸性物質、好ましくは鉱酸で処理して、遊離酸を得、次いで場合によっては漂白工程を実施することを特徴とする、上記方法。
【手続補正書】
【提出日】平成20年5月14日(2008.5.14)
【手続補正１】
【補正対象書類名】明細書
【補正対象項目名】発明の名称
【補正方法】変更
【補正の内容】
【発明の名称】射出成形装置
【手続補正２】
【補正対象書類名】明細書
【補正対象項目名】特許請求の範囲
【補正方法】変更
【補正の内容】
【特許請求の範囲】
【請求項１】
少なくとも前面（８４）および後面を含むマニホールドプレート（２４）と、後面（８６）を含むキャビティプレート（２６）とを有し、マニホールドプレート（２４）の前面（８４）が、キャビティプレート（２６）の後面（８６）と当接する金型（１２）と、
前記金型（１２）内に設けられた溶融物通路（１４）と、前記マニホールドプレート（２４）の後面に面する前面（５６）とを有する溶融物分岐マニホールド（１６）と、
前記金型（１２）内に取り付けられ、一体化された電気発熱体（８０）と溶融物チャンネル（１０２）とを有し、前記溶融物分岐マニホールド（１６）に連結された加熱射出ノズル（１０）と、
射出ノズルの発熱体（８０）に向けて設けられた電線（７８）と、を備え、
チャンネル（８２）がマニホールドプレート（２４）の前面（８４）およびキャビティプレート（２６）の後面（８６）のうちの少なくとも一つに設けられ、電線（７８）はノズル（１０）に向けてチャンネル（８２）を通って延びることを特徴とする射出成形装置。
【請求項２】
前記射出ノズル（１０）の溶融物チャンネル（１０２）は、前記溶融物分岐マニホールド（１６）の溶融物通路（１４）に整列されていることを特徴とする請求項１に記載の射出成形装置。
【請求項３】
ねじ込み式シート（４８）を含むマウンティングベース（５０）を更に備え、
前記射出ノズル（１０）は、ねじ込み式端部（４６）を有し、前記マウンティングベース（５０）を通して前記溶融物分岐マニホールド（１６）に前記ねじ込み式端部（４６）を介して連結されることを特徴とする請求項１に記載の射出成形装置。
【請求項４】
前記マウンティングベース（５０）は、固定具を用いて前記溶融物分岐マニホールド（１６）の前面（５６）に対して固定されていることを特徴とする請求項３に記載の射出成形装置。
【請求項５】
前記固定具は、前記溶融物分岐マニホールド（５２）に部分的に配置されたねじ（５２）であることを特徴とする請求項４に記載の射出成形装置。
【請求項６】
マニホールドプレート（２４）からキャビティプレート（２６）を外すことにより、前記射出ノズル（１０）の前部が露出されるとともに、前記金型（１２）から前記射出ノズル（１０）を取り出すことができることを特徴とする請求項１に記載の射出成形装置。
【請求項７】
射出ノズル（１０）の前部は、ツールによって係合可能であることを特徴とする請求項６に記載の射出成形装置。
【手続補正書】
【提出日】平成20年9月17日(2008.9.17)
【手続補正１】
【補正対象書類名】明細書
【補正対象項目名】特許請求の範囲
【補正方法】変更
【補正の内容】
【特許請求の範囲】
【請求項１】  以下の式（Ｉ）：
【化１】
2004509900.tif 000001
を有する化合物であって、ここで、ＹはＨまたは水酸基保護基であり、Ｘは炭水化物の残基であり、そしてｎは１〜（該炭水化物中の利用可能な水酸基の数）の値を有する、化合物、または薬学的に受容可能な該化合物の塩。
【請求項２】  Ｘが糖である、請求項１に記載の化合物。
【請求項３】  ＹがＨ、（Ｃ４〜Ｃ６）アセチル、（Ｃ１〜Ｃ５）アシル、または（Ｃ１〜Ｃ５）アルキルである、請求項１に記載の化合物。
【請求項４】  Ｘが単糖の残基または二糖の残基である、請求項１に記載の化合物。
【請求項５】  Ｘが多糖の残基である、請求項１に記載の化合物。
【請求項６】  残基が、アセタールまたはケタールとして保護される少なくとも１つのＣＨＯＨ−ＣＨＯＨ部分を含む、請求項４または５に記載の化合物。
【請求項７】  Ｘが化学的に改変されたセルロースの残基である、請求項１に記載の化合物。
【請求項８】  前記化学的に改変されたセルロースが、ヒドロキシプロピル−メチルセルロース、ヒドロキシエチルセルロース、またはヒドロキシプロピルセルロースである、請求項７に記載の化合物。
【請求項９】  前記炭水化物が、化学的に改変された糖または化学的に改変されたデンプンである、請求項１に記載の化合物。
【請求項１０】  薬学的に受容可能なキャリアと組み合わせて請求項１に記載の化合物を含む、薬学的組成物。
【請求項１１】  経口投与に適合された、請求項１０に記載の組成物。
【請求項１２】  局所投与に適合された、請求項１０に記載の組成物。
【請求項１３】  以下の式（ＩＩ）：
【化２】
2004509900.tif 000002
を有する化合物であって、ここで、Ｒ’はＨまたは水酸基保護基であり、ＲはＨ、（Ｃ１〜Ｃ４）アルキルまたはベンジルであり、ＸおよびＺは水酸基含有アミノ酸またはビス（カルボキシ）アミノ酸の各残基であり、ＹはＸおよびＺと共有結合している部分であり、ｎは０〜１であり、ｍおよびｋは、０〜（アミノ酸ＸおよびＺ中の利用可能な水酸基の数）であり；ｑおよびｐは、０〜（アミノ酸ＸおよびＺ上の利用可能なＣＯ２基または薬学的に受容可能なそれらの塩の数）であり、ただし、ｍおよびｑならびにｐおよびｋの両方は、０ではない、化合物、または薬学的に受容可能な該化合物の塩。
【請求項１４】  以下の式（ＩＩＩ）：
【化３】
2004509900.tif 000003
を有する化合物であって、ここで、Ｒ１はＨまたは水酸基保護基であり、ＲはＨ、（Ｃ１〜Ｃ４）アルキルまたはベンジルであり、Ｘは水酸基含有アミノ酸の残基であり、Ｚは水酸基含有アミノ酸またはビス（カルボキシ）基含有アミノ酸の残基であり、ＹはＸおよびＺと共有結合している部分であり、ｎは０〜１であり、ｍは、１〜（アミノ酸Ｘ中の利用可能な水酸基の数）であり、ｐは、１〜（アミノ酸ＸまたはＺ上の利用可能なＣＯ２基の数）である、化合物、または薬学的に受容可能な該化合物の塩。
【請求項１５】  ｍ、ｑ、ｐ、およびｋの各々が１である、請求項１３に記載の化合物。
【請求項１６】  ｍおよびｋが０であり、ｑおよびｐが１である、請求項１３に記載の化合物。
【請求項１７】  ｎ＝０、ｍ＝０、およびｋ＝０であり、Ｘはグルタミン酸、アスパラギン酸、またはチロシンである、請求項１３に記載の化合物。
【請求項１８】  ｍ＝ｐ＝１であり、ｎは０であり、そしてＸはチロシン、スレオニン、またはセリンである、請求項１４に記載の化合物。
【請求項１９】  ｍ＝ｎ＝ｐ＝１であり、ＹはＣ（Ｏ）ＣＨ２ＣＨ２Ｃ（Ｏ）またはＣ（Ｏ）ＣＨ＝ＣＨ（ＣＯ）である、請求項１４に記載の化合物。
【請求項２０】  以下の式（ＩＶ）：
【化４】
2004509900.tif 000004
を有する化合物であって、ここで、ＬおよびＬ’は、独立して、Ｈ、（Ｃ１〜Ｃ６）アルキル、または水酸基保護基、もしくは少なくとも１つの脂肪アルコール、脂肪エステル、またはそれらのアナログを含む有機部分であり、ＬおよびＬ’の少なくとも１つは該部分である、化合物。
【請求項２１】  ＬまたはＬ’の少なくとも１つが−（Ａ）（Ｙ）（Ｚ）ｎであり、ここで、Ａは（Ｃ１〜Ｃ６）アルキルであり、ＹはＨ、ＯＨＮ（Ｒ１）（Ｒ２）（Ｒ３）または［−Ｏ（ＰＯ３−）−ＡＮ（Ｒ１）（Ｒ２）（Ｒ３）］であり、ここで、Ｒ１、Ｒ２、およびＲ３は、各々（Ｃ１〜Ｃ４）アルキルであるか、またはＲ１およびＲ２はＮと共に（Ｃ５〜Ｃ７）複素環であり、必要に応じて１または２個のＮ（Ｒ３）、Ｓ、非ペルオキシドＯまたはそれらの組み合わせで置換されており；ｎは１〜２であり、ＺはＹＲであり、ここで、ＹはＯ、Ｓ、ＮＨ、Ｎ（ＣＨ３）、ＮＨＣ（Ｏ）、またはＯＣ（Ｏ）であり、そしてＲは（Ｃ８〜Ｃ２２）アルキルであり、必要に応じて１〜２個の二重結合で置換されており、ただし、ＬまたはＬ’の一方が１，３−ジヘキサデカノイルプロパ−２−イルである場合、もう一方はＨではない、請求項１７に記載の化合物または薬学的に受容可能な該化合物の塩。
【請求項２２】  Ｌ’が−（Ａ）（Ｙ）（Ｚ）ｎであり、ＬがＨ、（Ｃ１〜Ｃ６）アルキル、または水酸基保護基である、請求項２１に記載の化合物。
【請求項２３】  ＹがＯＣ（Ｏ）である、請求項２１または２２に記載の化合物。
【請求項２４】  Ｒが（Ｃ１０〜Ｃ２２）アルキルである、請求項２０に記載の化合物。
【請求項２５】  Ｙが、−Ｏ（ＰＯ３−）ＣＨ２ＣＨ２Ｎ（ＣＨ３）３＋である、請求項２１または２２に記載の化合物。
【請求項２６】  （Ａ）（Ｙ）（Ｚ）ｎが、ＣＨ［ＣＨ２Ｚ］［ＣＨ２Ｙ］である、請求項２１または２２に記載の化合物。
【請求項２７】  以下の式（Ｖ）：
【化５】
2004509900.tif 000005
を有する化合物であって、ここで、Ｌは独立してＨ、（Ｃ１〜Ｃ６）アルキル、または水酸基保護基であり、ｎは２〜６であり、そしてＬ”は（Ｃ２〜Ｃ１２）アルキルであり、必要に応じて１−３−Ｏ−が介在する、化合物。
【請求項２８】  Ｌ”が１，ω−アルキレンジオールのアルキル残基である、請求項２７に記載の化合物。
【請求項２９】  Ｌ”が−（ＣＨ２）３−であり、ｎが２である、請求項２７に記載の化合物。
【請求項３０】  Ｌが（Ｃ２〜Ｃ７）アシルである、請求項２７に記載の化合物。
【請求項３１】  Ｌがアセチルである、請求項２７に記載の化合物。
【請求項３２】  １，３−ビス（４−アセトキシブチロイル）プロパン。
【請求項３３】  医学的治療において使用するための組成物であって、
請求項１〜３２のいずれかに記載の化合物
を含む、組成物。
【請求項３４】  γ−ヒドロキシブチレートを用いた処置に対して感受性である状態または病理を処置するための医薬を調製するための、請求項１〜３２のいずれかに記載の化合物の使用。
【請求項３５】  γ−ヒドロキシブチレート（ＧＨＢ）による処置に対して感受性である状態または病理を患った哺乳動物を処置するための組成物であって、
請求項１〜３２のいずれかに記載の化合物
を含む、組成物。
【請求項３６】  薬学的に受容可能なキャリアと組み合わせて請求項１〜３２のいずれかに記載の化合物を含む、薬学的組成物。
【手続補正書】
【提出日】平成20年6月10日(2008.6.10)
【手続補正１】
【補正対象書類名】明細書
【補正対象項目名】特許請求の範囲
【補正方法】変更
【補正の内容】
【特許請求の範囲】  
【請求項１】  治療的有効量の一酸化窒素の吸入と同時に哺乳類に投与される、哺乳類における、一酸化窒素吸入に関連した低酸素性肺血管収縮の低下を緩和、部分的に予防、または完全に予防するための、有効量の抗ROS薬剤を含む組成物。
【請求項２】  抗ROS薬剤が、N-アセチルシステイン、アロプリノール、アスコルビン酸（ビタミンC）、ビリルビン、コーヒー酸、カタラーゼ、PEG-カタラーゼ、カテキン、セルロプラスム（ceruloplasm）、銅サリチル酸ジイソプロピル、デフェロキサミンメシレート、ジメチル尿素、エブセレン、EUK-8、FeTMTPyP、FETPPS、グルココルチコイド、グルタチオン、MnTBAP、MnTMPyP、セレノメチオニン、スーパーオキシドジスムターゼ、PEG-スーパーオキシドジスムターゼ、タクシフォリン（Taxifolin）、およびビタミンEからなる群より選択される、請求項1記載の組成物。
【請求項３】  抗ROS薬剤がN-アセチルシステインである、請求項2記載の組成物。
【請求項４】  さらに有効量のロイコトリエンブロッカーと同時に投与される、請求項1記載の組成物。
【請求項５】  治療的有効量の一酸化窒素の吸入と同時に哺乳類に投与される、哺乳類における一酸化窒素吸入に関連した低酸素性肺血管収縮の低下を緩和、部分的に予防、または完全に予防するための、有効量のロイコトリエンブロッカーを含む組成物。
【請求項６】  ロイコトリエンブロッカーが、モンテルカスト、ザフィルカスト、ザイリュートン、プランクラスト（prankulast）、MK-571、MK-591、MK-886、BAYx1005、シナルカスト（cinalukast）、ポビルカストエダミン（pobilukast edamine）、MK-679、およびZD2138からなる群より選択される、請求項5記載の組成物。
【請求項７】  ロイコトリエンブロッカーが、モンテルカスト、ザフィルカスト、およびザイリュートンからなる群より選択される、請求項6記載の組成物。
【請求項８】  治療的有効量の一酸化窒素の吸入と同時に哺乳類に投与される、哺乳類における一酸化窒素の吸入に対して肺血管の拡張反応性が喪失するのを緩和、部分的に予防、または完全に予防するための、有効量の抗ROS薬剤を含む組成物。
【請求項９】  抗ROS薬剤が、N-アセチルシステイン、アロプリノール、アスコルビン酸（ビタミンC）、ビリルビン、コーヒー酸、カタラーゼ、PEG-カタラーゼ、カテキン、セルロプラスム、銅サリチル酸ジイソプロピル、デフェロキサミンメシレート、ジメチル尿素、エブセレン、EUK-8、FeTMTPyP、FETPPS、グルココルチコイド、グルタチオン、MnTBAP、MnTMPyP、セレノメチオニン、スーパーオキシドジスムターゼ、PEG-スーパーオキシドジスムターゼ、タクシフォリン、およびビタミンEからなる群より選択される、請求項8記載の組成物。
【請求項１０】  抗ROS薬剤がN-アセチルシステインである、請求項9記載の組成物。
【請求項１１】  さらに有効量のロイコトリエンブロッカーと同時に投与される、請求項8記載の組成物。
【請求項１２】  治療的有効量の一酸化窒素の吸入と同時に哺乳類に投与される、哺乳類における一酸化窒素の吸入に対して肺血管の拡張反応性が喪失するのを緩和、部分的に予防、または完全に予防するための、有効量のロイコトリエンブロッカーを含む組成物。
【請求項１３】  ロイコトリエンブロッカーが、モンテルカスト、ザフィルカスト、ザイリュートン、プランクラスト、MK-571、MK-591、MK-886、BAYx1005、シナルカスト、ポビルカストエダミン、MK-679、およびZD2138からなる群より選択される、請求項12記載の組成物。
【請求項１４】  ロイコトリエンブロッカーが、モンテルカスト、ザフィルカスト、およびザイリュートンからなる群より選択される、請求項13記載の組成物。
【手続補正書】
【提出日】平成20年7月15日(2008.7.15)
【手続補正１】
【補正対象書類名】明細書
【補正対象項目名】特許請求の範囲
【補正方法】変更
【補正の内容】
【特許請求の範囲】
【請求項１】  化合物または該化合物の薬学的に受容可能な塩もしくは溶媒和物であって、該化合物には、該化合物の鏡像異性体、立体異性体および互変異性体が含まれ、該化合物は、式Ｉ：
【化１】
2004509869.tif 000001
に示される一般構造を有し、ここで、
Ｇは、−（ＣＨ２）ｖ−ＮＲ３−、−（ＣＨ２）ｖ−Ｏ−、−（ＣＨ２）ｖ−Ｓ（Ｏ）ｚ−、−（ＣＨ２）ｖ−ＮＲ３−Ｃ（ＮＲ４）−ＮＲ３−、−（ＣＨ２）ｖ−Ｏ−Ｃ（Ｏ）ＮＲ３−、−（ＣＨ２）ｖ−ＮＲ３Ｃ（Ｏ）ＮＲ３−、−（ＣＨ２）ｖ−ＮＲ３Ｃ（Ｏ）Ｏ−、−（ＣＨ２）ｖ−ＮＲ３Ｃ（Ｏ）−、−（ＣＨ２）ｖＣ（Ｏ）ＮＲ３−からなる群より選択され；
Ｍは、１〜６個の炭素原子からなる分枝もしくは非分枝のアルキル基、または２〜６個の炭素原子からなる分枝もしくは非分枝のアルケニル基であり；
ＸおよびＹは、Ｎ、ＣＨまたはＮ−オキシドからなる群より独立して選択され；
Ｒ１およびＲ２は、各々、１〜４の数であり得、そしてＨ、ハロゲン、低級アルキル、低級アルコキシ、ポリハロ低級アルコキシ、ＯＨ、ＣＦ３、ＮＨ２、ＮＨＣ（Ｏ）アルキル、ＣＮもしくはＮＯ２からなる群より独立して選択され；
Ｒ３は、Ｈ、低級アルキル、置換もしくは非置換のフェニル、置換もしくは非置換のベンジルまたは以下の式：
【化２】
2004509869.tif 000002
の基からなる群より独立して選択され；
Ｒ４は、Ｈ、ＣＮ、ＣＯ２Ｒ５からなる群より選択され；
Ｒ５は、低級アルキルおよび置換もしくは非置換のベンジルからなる群より選択され；
Ｒ６は、Ｈもしくは低級アルキルからなる群より選択され；
ｑは２〜５であり；
ｖは０〜６であり；そして
ｚは０、１または２である、化合物。
【請求項２】  Ｒ１およびＲ２が、Ｈ、ハロゲン、ヒドロキシまたは低級アルコキシから独立して選択される、請求項１に記載の化合物。
【請求項３】  Ｒ６がＨである、請求項２に記載の化合物。
【請求項４】  ＸがＮであり、かつＹがＣＨである、請求項１に記載の化合物。
【請求項５】  Ｇが−（ＣＨ２）ｖ−ＮＲ３−であり、ここでｖおよびＲ３が、規定されたとおりである、請求項３に記載の化合物。
【請求項６】  Ｍが、１〜６個の炭素原子を含有するアルキル基である、請求項１に記載の化合物。
【請求項７】  Ｇが−（ＣＨ２）ｖ−ＮＲ３−であり、かつＭが、１〜６個の炭素原子を含有するアルキル基であり、ここでＲ３およびｖが、規定されたとおりである、請求項３に記載の化合物。
【請求項８】  ＸがＮであり、ＹがＣＨであり、Ｒ１がＨであり、Ｒ２がＣｌであり、そしてＲ６がＨである、請求項１に記載の化合物。
【請求項９】  Ｇが−（ＣＨ２）ｖ−ＮＲ３−であり、Ｍが、１〜６個の炭素原子を含有するアルキル基であり、Ｒ１がＨであり、Ｒ２がＣｌであり、そしてＲ６がＨであり、ここで、Ｒ３およびｖは規定されたとおりである、請求項１に記載の化合物。
【請求項１０】  Ｒ３が、Ｈまたは
【化３】
2004509869.tif 000003
である、請求項９に記載の化合物。
【請求項１１】  ＶがＯである、請求項１０に記載の化合物。
【請求項１２】  活性成分として、請求項１に記載の化合物を含有する、薬学的組成物。
【請求項１３】  炎症、アレルギー、アレルギー性鼻炎、うっ血、胃腸管の疾患、心臓血管疾患、または中枢神経系の障害ならびにアレルギーが誘導する気道の応答および肥満を処置する際の使用のための薬学的組成物であって、該組成物は、活性成分として、請求項１に記載の化合物を含有する、薬学的組成物。
【請求項１４】  薬学的に受容可能なキャリアをさらに含有する、請求項１０に記載の薬学的組成物。
【請求項１５】  炎症、アレルギー、うっ血、胃腸管の疾患、心臓血管疾患、または中枢神経系の障害ならびにアレルギーが誘導する気道の応答および肥満を処置するための組成物であって、治療有効量の請求項１に記載の化合物を含有する、組成物。
【請求項１６】  炎症、アレルギー、うっ血、胃腸管の疾患、心臓血管疾患、または中枢神経系の障害ならびにアレルギーが誘導する気道の応答および肥満の処置のための医薬の製造のための、請求項１に記載の化合物の使用。
【請求項１７】  炎症、アレルギー、うっ血、胃腸管の疾患、心臓血管疾患、または中枢神経系の障害ならびにアレルギーが誘導する気道の応答および肥満を処置するための薬学的組成物を調製する方法であって、該方法は、請求項１に記載の化合物および薬学的に受容可能なキャリアの密接な接触をもたらす工程を包含する、方法。
【請求項１８】  Ｈ３アンタゴニスト活性を示す化合物または該化合物の薬学的に受容可能な塩もしくは溶媒和物であって、該化合物には、該化合物の鏡像異性体、立体異性体および互変異性体が含まれ、該化合物は、以下に列挙される構造：
【化４】
2004509869.tif 000004
2004509869.tif 000005
2004509869.tif 000006
の化合物から選択される、化合物。
【請求項１９】  Ｈ１アンタゴニスト活性およびＨ３アンタゴニスト活性の両方を示す化合物または該化合物の薬学的に受容可能な塩もしくは溶媒和物であって、該化合物には、該化合物の鏡像異性体、立体異性体および互変異性体が含まれ、該化合物は、以下に列挙される構造：
【化５】
2004509869.tif 000007
の化合物から選択される、化合物。
【請求項２０】  炎症、アレルギー、うっ血、胃腸管の疾患、心臓血管疾患、または中枢神経系の障害ならびにアレルギーが誘導する気道の応答および肥満を処置するための薬学的組成物であって、該組成物は、治療有効量の請求項１８または１９に記載の化合物および薬学的に受容可能なキャリアを含有する、薬学的組成物。
【手続補正書】
【提出日】平成20年7月15日(2008.7.15)
【手続補正１】
【補正対象書類名】明細書
【補正対象項目名】特許請求の範囲
【補正方法】変更
【補正の内容】
【特許請求の範囲】
【請求項１】  化合物（その鏡像異性体、立体異性体および互変異性体を含む）、または該化合物の薬学的に受容可能な塩もしくは溶媒和物であって、該化合物は、式Ｉ：
【化１】
2004509870.tif 000001
に示される一般構造を有し、
ここで、Ｇは、Ｃ１〜Ｃ６アルキルからなる群より選択されるか、または結合であり；
Ｍは：
【化２】
2004509870.tif 000002
からなる群より選択される部分であり、ｐは、１〜６であり、Ｖは、Ｃ１〜Ｃ６アルキルであり；
ＸおよびＹは、同一であっても異なってもよく、そして、Ｎ、ＣＨまたはＮ−オキシドからなる群より独立して選択され（ただし、ＸおよびＹの少なくとも１つは、ＮまたはＮ−オキシドである）；
Ｒ１およびＲ２は、各々が１〜４個に達し得、そして水素、低級アルキル、低級アルコキシ、ハロゲン、ポリハロ低級アルキル、−ＯＨ、−Ｎ（Ｒ６）２、−ＮＯ２、−ＣＮ、−ＣＯＯＲ６、−ＣＯＮＲ６Ｒ８および−ＮＲ６−Ｃ（Ｏ）−Ｒ７（ここで、Ｒ７は、−ＯＨでも−ＣＮでもない）からなる群より独立して選択され；
Ｒ３は、水素、低級アルキル、低級アルコキシ、ヒドロキシル、ポリハロ低級アルキルおよび部分Ｇへの二重結合を形成する結合（ここで、Ｇは、Ｃ１〜Ｃ６アルキルである）より選択され；
Ｒ４およびＲ５は、水素、低級アルキル、およびポリハロ低級アルキルからなる群より独立して選択され；
Ｒ６およびＲ８は、水素、低級アルキル、アラルキル、アルキルアリール、ポリハロ低級アルキル、置換フェニルもしくは非置換フェニル、および置換ベンジルもしくは非置換ベンジルより独立して選択され；そして
Ｒ７は、Ｈ、ＯＨ、アルコキシ、シアノ、フェニル、置換フェニル、ベンジルおよび置換ベンジルからなる群より選択され；
ただし、Ｇが結合でありかつＭが−Ｏ−または−Ｏ−Ｃ（Ｏ）−ＮＲ６−のいずれかである場合、ＸおよびＹのうち１つはＮであり；さらに、Ｒ３が−ＯＨまたはアルコキシルでありかつＧが結合である場合、Ｍは、ＯでもＮＲ６でもない、化合物（その鏡像異性体、立体異性体および互変異性体を含む）、または該化合物の薬学的に受容可能な塩もしくは溶媒和物。
【請求項２】  Ｒ４＝Ｒ５＝Ｈである、請求項１に記載の化合物。
【請求項３】  Ｒ６およびＲ７が、Ｈまたは低級アルキルである、請求項２に記載の化合物。
【請求項４】  Ｒ１およびＲ２が、独立してＨ、ハロゲン、ヒドロキシまたは低級アルコキシより選択される、請求項２に記載の化合物。
【請求項５】  請求項２に記載の化合物であって、ここで、Ｍは、
【化２Ａ】
2004509870.tif 000003
からなる群より選択される、化合物。
【請求項６】  Ｒ１およびＲ２が、Ｈ、ハロゲン、ヒドロキシまたはアルコキシであり、そしてＲ３が、水素、低級アルキルまたは部分Ｇへの二重結合を形成する結合である、請求項５に記載の化合物。
【請求項７】  Ｒ３が、水素であり、Ｍが、−ＮＨ−、−Ｎ（アルキル）−、−Ｃ（Ｏ）ＮＨ−、−Ｃ（＝ＮＨ）ＮＨ−、または−Ｃ（Ｏ）Ｎ（アルキル）−である、請求項６に記載の化合物。
【請求項８】  請求項１に記載の化合物を活性成分として含む、薬学的組成物。
【請求項９】  炎症、アレルギー、アレルギー性鼻炎、鬱血、胃腸管の疾患、心血管疾患または中枢神経系の障害、ならびにアレルギー誘導性気道応答および肥満症を処置する際に使用するための薬学的組成物であって、請求項１に記載の化合物を活性成分として含む、薬学的組成物。
【請求項１０】  薬学的に受容可能なキャリアをさらに含む、請求項８に記載の薬学的組成物。
【請求項１１】  炎症、アレルギー、鼻の鬱血、胃腸管の疾患、心血管疾患または中枢神経系の障害、ならびにアレルギー誘導性気道応答および肥満症を処置するための組成物であって、治療的有効量の請求項１に記載の化合物を含有する、組成物。
【請求項１２】  炎症、アレルギー、鼻の鬱血、胃腸管の疾患、心血管疾患または中枢神経系の障害、ならびにアレルギー誘導性気道応答および肥満症を処置するための医薬の製造のための、請求項１に記載の化合物の使用。
【請求項１３】  炎症、アレルギー、鼻の鬱血、胃腸管の疾患、心血管疾患または中枢神経系の障害、ならびにアレルギー誘導性気道応答および肥満症を処置するための薬学的組成物を調製するための方法であって、該方法は、請求項１に記載の化合物と薬学的に受容可能なキャリアとを密着させる工程を包含する、方法。
【請求項１４】  Ｈ３アンタゴニスト活性を示す化合物（その鏡像異性体、立体異性体および互変異性体を含む）、または該化合物の薬学的に受容可能な塩もしくは溶媒和物であって、該化合物は、以下に列挙される構造：
【化３Ａ】
2004509870.tif 000004
【化３Ｂ】
2004509870.tif 000005
【化３Ｃ】
2004509870.tif 000006
および
【化３Ｄ】
2004509870.tif 000007
の化合物より選択される、化合物。
【請求項１５】  Ｈ１アンタゴニスト活性およびＨ３アンタゴニスト活性の両方を示す化合物（該化合物の鏡像異性体、立体異性体および互変異性体を含む）、または該化合物の薬学的に受容可能な塩もしくは溶媒和物であって、該化合物は、以下に列挙される構造：
【化４Ａ】
2004509870.tif 000008
【化４Ｂ】
2004509870.tif 000009
【化４Ｃ】
2004509870.tif 000010
の化合物より選択される、化合物。
【請求項１６】  炎症、アレルギー、鼻の鬱血、胃腸管の疾患、心血管疾患、睡眠関連障害または中枢神経系の障害、ならびにアレルギー誘導性気道応答および肥満症を処置するための薬学的組成物であって、治療的有効量の請求項１４または１５に記載の化合物および薬学的に受容可能なキャリアを含む、薬学的組成物。